(57)【要約】【課題】安価で確実に地震情報を取得することができるとともに、遠方にいる家族や外出中の家族からの安否確認が容易におこなうことができるインターホンシステムを提供する。【解決手段】玄関子機と、居室親機と、地震情報をネットワーク網を介して受信し、玄関子機及び居室親機が設置された地域における震度、発生までの時間等の地域地震情報を算出する地震情報解析装置と、地震情報解析装置から送信された地域地震情報を各住戸に無線送信するための基地局から構成され、玄関子機は、基地局から無線送信された地域地震情報、又は近隣にある他の玄関子機から転送された当該地域地震情報を受信する無線受信部と、受信部で受信した地域地震情報を近隣の他の玄関子機へ無線送信する無線送信部とを備えたことを特徴とする。【選択図】図１
2012138871.tif 000002
【特許請求の範囲】
【請求項１】
門扉、または玄関に設置された玄関子機と、前記玄関子機からの呼出音に対して応答し通話を行う居室親機と、地震が発生したとき気象庁等の緊急地震速報配信機関から送信された地震情報を、ネットワーク網を介して受信し、前記玄関子機及び前記居室親機が設置された地域における震度、発生までの時間等の地域地震情報を算出する地震情報解析装置と、前記地震情報解析装置から送信された地域地震情報を各住戸に無線送信するための基地局から構成され、
前記玄関子機は、前記基地局から無線送信された地域地震情報、又は近隣にある他の玄関子機から転送された当該地域地震情報を受信する無線受信部と、前記受信部で受信した前記地域地震情報を近隣の他の玄関子機へ無線送信する無線送信部とを備えたことを特徴とするインターホンシステム。 
【請求項２】
前記居室親機は、前記玄関子機を介して前記地域地震情報を重複して受信した場合は最初の地域地震情報を有効とし、他の地域地震情報を無効なものとして削除するよう制御する親機ＣＰＵを備えたことを特徴とする請求項１記載のインターホンシステム。
【請求項３】
前記居室親機は、前記玄関子機で受信した地域地震情報、又は近隣にある他の玄関子機から転送された最初の地域地震情報を報知する報知部を備えたことを特徴とする請求項１又は請求項２記載のインターホンシステム。
【請求項４】
前記居室親機は、地震情報を出力した後、安否情報を入力する入力手段を備え、前記入力手段により入力された当該安否情報を前記玄関子機の無線送信部を介して前記基地局へ送信し、
前記基地局は、前記安否情報を記憶する安否情報記憶部を備えたことを特徴とする請求項１乃至請求項３何れか１項記載のインターホンシステム。
【請求項５】
前記居室親機において留守時に設定する留守設定がなされた場合、地震情報を出力した後、安否情報を入力するモードに移行すると、前記玄関子機の無線送信部から留守設定した端末情報を付加した留守設定情報を当該玄関子機前の無線送信部を介して前記基地局へ送信することを特徴とする請求項１乃至請求項４何れか１項記載のインターホンシステム。
【発明の詳細な説明】
【技術分野】
【０００１】
本発明は、インターホンシステムに係わり、特に戸建の住宅においても確実に地震情報を取得するとともに家族が安否確認できることを可能としたインターホンシステムに関する。
【背景技術】
【０００２】
従来、地震情報を取得するに当たり、各家庭においてインターネット経由で取得することができ、これをもとに警報報知をおこなうとともにホームネットワークに接続された家電の制御をおこなうことができるものであった。
【先行技術文献】
【特許文献】
【０００３】
【特許文献１】特開2006-165965号公報
【発明の開示】
【発明が解決しようとする課題】
【０００４】
しかしながら、戸建の家庭において地震情報を取得するに当たっては、各個人が地震情報の提供を受けるための契約を結び、機器の準備やインターホン等の環境を整える必要があった。
また、地震発生時に近所の住人の安否を確認したいと思った場合、電話や実際に家に行き安否確認をする方法が考えられるが、災害により電話が使用できなくなっていたり、また、家屋倒壊などで確認が困難になる虞もある。さらに、留守などで不在の場合もあるため、正確な安否確認できないことも考えられる。
【０００５】
本発明はこの点に鑑みて提案されたもので、安価で確実に地震情報を取得することができるとともに、遠方にいる家族や外出中の家族からの安否確認が容易におこなうことができるインターホンシステムを提供することを目的とする。
【課題を解決するための手段】
【０００６】
上述の目的を達成するため、本発明の第１の態様であるインターホンシステムは、門扉、または玄関に設置された玄関子機と、玄関子機からの呼出音に対して応答し通話を行う居室親機と、地震が発生したとき気象庁等の緊急地震速報配信機関から送信された地震情報を、ネットワーク網を介して受信し、玄関子機及び居室親機が設置された地域における震度、発生までの時間等の地域地震情報を算出する地震情報解析装置と、地震情報解析装置から送信された地域地震情報を各住戸に無線送信するための基地局から構成され、玄関子機は、基地局から無線送信された地域地震情報、又は近隣にある他の玄関子機から転送された当該地域地震情報を受信する無線受信部と、受信部で受信した地域地震情報を近隣の他の玄関子機へ無線送信する無線送信部とを備えたことを特徴とする。 
【０００７】
また、本発明の第２の態様であるインターホンシステムは、請求項１において、居室親機は、玄関子機を介して地域地震情報を重複して受信した場合は最初の地域地震情報を有効とし、他の地域地震情報を無効なものとして削除するよう制御する親機ＣＰＵを備えたことを特徴とする。
【０００８】
また、本発明の第３の態様であるインターホンシステムは、請求項１又は請求項２において、居室親機は、玄関子機で受信した地域地震情報、又は近隣にある他の玄関子機から転送された最初の地域地震情報を報知する報知部を備えたことを特徴とする。
【０００９】
また、本発明の第４の態様であるインターホンシステムは、請求項１乃至請求項３何れかにおいて、居室親機は、地震情報を出力した後、安否情報を入力する入力手段を備え、入力手段により入力された当該安否情報を玄関子機の無線送信部を介して基地局へ送信し、基地局は、安否情報を記憶する安否情報記憶部を備えたことを特徴とする。
【００１０】
また、本発明の第５の態様であるインターホンシステムは、請求項１乃至請求４何れかにおいて、居室親機において留守時に設定する留守設定がなされた場合、地震情報を出力した後、安否情報を入力するモードに移行すると、玄関子機の無線送信部から留守設定した端末情報を付加した留守設定情報を当該玄関子機前の無線送信部を介して基地局へ送信することを特徴とする。
【発明の効果】
【００１１】
請求項１の発明によれば、基地局にて受信された地震情報は各住戸に無線送信されるため、玄関子機で容易に受信することができるとともに、受信できない場合でも受信できた他の玄関子機から無線送信されるため、確実に地震情報を取得することができる。
請求項２の発明によれば、地震情報を重複して受信した場合には、最も早く受信した地震情報をもとに動作し、その後に受信した地震情報を破棄することにより、発報までのタイムラグを防止することができる。
請求項３の発明によれば、居室親機で地震情報を報知することができるので居住者はより早く避難を開始することができる。
請求項４の発明によれば、地震情報を受信した後、安否情報を基地局に送信することができるので、地域全体で住人の安否を把握することができる。
請求項５の発明によれば、地震情報を受信したとき留守である情報を登録することができるので、居住者が不在であっても自動的に不在情報が付加された安否情報を送信することができるので、管理者や遠方にいる家族に余計な心配をかけなくて済む。
【図面の簡単な説明】
【００１２】
【図１】本発明に係る実施形態であるインターホンシステムのシステム構成図である。
【図２】本発明に係る実施形態であるインターホンシステムのブロック図である。
【発明を実施するための形態】
【００１３】
以下、本発明によるインターホンシステムを適用した好ましい形態の実施例について、図を参照して説明する。
図１は本実施例に係るインターホンシステムのシステム構成図であり、地震が発生したとき各地域に地震発生を通知する気象庁等の緊急地震速報配信機関１と、当該緊急地震速報配信機関からの地震情報を、ネットワーク網ＮＴを介して受信し、地域における震度、地震到達までの時間等の地域地震情報を算出する地震情報解析装置２と、地震情報解析装置近傍にある各住戸Ａ〜Ｅに対して地域地震情報を無線送信する基地局３とから構成されている。なお、基地局３には、後述する居室親機から安否情報が通知されたとき、当該安否情報を記憶するための安否情報記憶部３１を備えている。
【００１４】
また、各住戸Ａ〜Ｅにはそれぞれ玄関子機１０及び居室親機２０が設置されている。
この玄関子機１０及び居室親機２０は、図２のブロック図に示すように、来訪者が居住者を呼び出すための呼出ボタン１０１、来訪者が居住者と通話するためのマイク１０２、スピーカ１０３及び音響部１０４、来訪者の映像を撮像するカメラ１０５及び撮像した映像を居室親機２０に送信するための映像処理部１０６、居室親機２０から送信された情報を基地局３又は他の玄関子機１０へ送信するための無線送信部１０７、基地局３又は他の玄関子機から送信された地震情報を受信する無線受信部１０８、居室親機２０と通信するための子機ＩＦ１０９、玄関子機１０の各部を制御する子機ＣＰＵ１１０を有している。
【００１５】
居室親機２０は、来訪者からの呼び出しに応答して通話するための通話ボタン２０１、来訪者と通話するためのマイク２０２、スピーカ２０３及び音響部２０４、玄関子機１０のカメラ１０５で撮像された映像を出画するためのモニタ２０５及び映像処理部２０６、安否確認をおこなうための確認ボタン２０７、安否確認時に安否確認情報に付加される居室ＩＤが記憶された居室ＩＤ記憶部２０８、不在時に設定する不在設定部２０９、安否確認時に予め登録された通知先に安否情報を送信するための転送先情報記憶部２１０、受信した地域地震情報を記憶するための地域地震情報記憶部２１１、玄関子機１０と通信するための親機ＩＦ２１２、居室親機２０の各部を制御するための親機ＣＰＵ２１３から構成されている。
【００１６】
このように構成されたインターホンシステムについて、以下、動作を説明する。
まず、インターホンの動作として、玄関子機１０の呼出ボタン１０１を押下して居住者を呼び出し、居室親機２０のモニタ２０５で来訪者を確認して通話ボタンを操作し、玄関子機１０のマイク１０２、スピーカ１０３と居室親機２０のマイク２０２、スピーカ２０３間で通話をすることについては、従来と同様であるので説明を省略し、ここでは地震が発生した場合の動作について詳述する。
【００１７】
ある地点で地震が発生すると、緊急地震速報配信機関１がその地震を検知し、震源地、震度等の測定結果を収集する。この測定結果はネットワーク網ＮＴを介して地震情報解析装置２へと送信される。地震情報解析装置２では、震源地から当該地震情報解析装置が備えられた地点までの距離などから震度及びＳ波が到達するまでの時間を計算する。この計算結果は地域地震情報として基地局３に送信され、基地局３では、この地域地震情報を無線信号に変換して各住戸へと送信する。
【００１８】
そして、地域地震情報は玄関子機１０の無線受信部１０８を介して子機ＣＰＵ１１０にて受信され、子機ＩＦ１０９を介して居室親機２０に転送される。居室親機２０では親機ＩＦ２１２を介して親機ＣＰＵ２１３にて受信され、地域地震情報の内容を映像処理部２０６を介してモニタ２０５にて表示するとともに、音響部２０４を介してスピーカ２０３にて報知される。なお、この地域地震情報は、地域地震情報記憶部２１１に記憶される。モニタ２０５又はスピーカ２０３による報知内容としては「あと８秒で震度４の地震が到達します。注意してください」のような注意喚起がなされることになる。
【００１９】
また、子機ＣＰＵ１１０は、地域地震情報を受信すると無線送信部１０７から同じ内容の地地域震情報を送信し、他の住戸が基地局３からの無線信号が受信できない場合の予備信号として送信される。この予備信号は地域地震情報の無線信号と同様な経路で子機ＣＰＵ１０に送信されるが、子機ＣＰＵ１０は、地域地震情報記憶部２１１の情報を読み出し当該予備信号を受信する前に基地局３からの無線信号又は他の住戸からの予備信号を受信している場合には、これを無効と判断して破棄するよう制御する。これにより、居室親機２０側でタイムラグの大きい情報に変わることなく精度の高い地域地震情報を報知することが可能となる。
居住者は、このように報知された地域地震情報から、Ｓ波が到達するまでの間に避難したり火を消すなどの対応をおこなう。
【００２０】
地域地震情報が受信されなくなった居室親機２０では、親機ＣＰＵ２１３の制御により、安否確認モードに移行し、予め居室親機２０内に記憶した安否情報を確認する旨の表示を映像処理部２０６を介してモニタ２０５に表示する。表示内容の例示としては「安否確認をおこないます。このメッセージを確認したら“確認ボタン”を操作してください」がなされる。これを確認した居住者が無事であれば確認ボタン２０７を操作する。親機ＣＰＵ２１３は確認ボタン２０７が操作されたことを検出して、居室ＩＤ記憶部２０８に記憶された居室ＩＤ情報を付加した安否情報を親機ＩＦ２１２を介して玄関子機１０に送信し、子機ＩＦ１０９を介して子機ＣＰＵ１１０で受信する。
【００２１】
子機ＣＰＵ１１０では、安否情報を無線送信部１０７を制御して基地局３に送信する。基地局３では、この受信した安否情報を安否情報記憶部３１にて記憶する。この情報が各住戸から送信されるため地域全体の安否を確認することができる。
また、居住者が留守の場合には、予め居室親機２０の不在設定２０９にて不在設定がなされており、親機ＣＰＵ２１３の制御により安否確認モードに移行した際には、自動的に居室ＩＤ記憶部２０８に記憶された居室ＩＤ情報を付加した安否情報を基地局に送信する。この安否情報には、不在設定がなされている旨の情報が付加されているため、住戸に人がいないことを確認することができる。
なお、上記実施例において、安否情報は各住戸から直接基地局３へ送信しているが、地域地震情報と同様に他の住戸の玄関子機１０でも受信され、最終的に基地局３へ送信されるようにしてもよい。この場合、各住戸の玄関子機１０の無線送信部１０７はそれぞれ基地局３へ送信するが、基地局３において、住戸の安否情報が重複した場合には、後で受信した安否情報を削除する制御がおこなわれることになる。
また、遠方にいる家族等に安否情報を送信したい場合には居室親機２０の転送先情報記憶部２１０に予め送信先の情報、例えばe-mailアドレス等を登録しておくと、親機ＣＰＵ２１３の制御により別途接続されている通信ネットワークを介して上述の安否情報（不在設定情報も含む）をメール等で送信することができる。
【符号の説明】
【００２２】
１・・・           緊急地震速報配信機関
２・・・           地震情報解析装置
３・・・           基地局
３１・・・              安否情報記憶部
１０・・・         玄関子機
１０２・・・     マイク
１０３・・・     スピーカ
１０７・・・     無線送信部
１０８・・・     無線受信部
２０・・・         居室親機
２０２・・・     マイク
２０３・・・     スピーカ
２０５・・・     モニタ
２０７・・・     確認ボタン
２０８・・・     居室ＩＤ記憶部
２０９・・・     不在設定部
２１０・・・     転送先情報記憶部
ＮＴ・・・         ネットワーク網
【図１】
2012138871.tif 000003
【図２】
2012138871.tif 000004